(57)【要約】防火キャニスターは、エアロゾル出射ポートを備える筐体を持つ。冷却材は筐体内で出射ポートの上に支持される。筐体内の燃焼室は冷却材の上にある。エアロゾル形成組成物は筐体内で燃焼室の上に支持される。エアロゾル形成組成物を点火するために、点火混合物がエアロゾル形成組成物に及ぶ。撃針が筐体内に配置され、感温材料によって適所に保たれる。一実施例では、所望の温度になった後、感温材料が撃針を解放する。
2009533146.tif 000002
【特許請求の範囲】
【請求項１】
エアロゾル出射ポートを持つエアロゾル筐体、
前記エアロゾル筐体内に支持されたエアロゾル形成組成物、
前記エアロゾル形成組成物を点火するために、前記エアロゾル形成組成物に及ぶ点火混合物、
前記エアロゾル筐体に接続するように構成された点火ユニット筐体、
前記筐体内に配置された撃針、
所望の温度まで前記撃針を適所に保つ感温材料であって、前記所望の温度を超えるとすぐに、前記点火混合物を点火するために前記撃針が解放される、感温材料、
を含む防火装置。
【請求項２】
前記撃針に結合したばね、
前記点火ユニット筐体内で前記撃針を適所に保つ抑制装置、
をさらに含む、請求項１の防火装置。
【請求項３】
前記感温材料が成形共晶混合物を含む、請求項２の防火装置。
【請求項４】
前記共晶混合物を適所に保つために配置された抑制クリップをさらに含む、請求項３の防火装置。
【請求項５】
前記抑制クリップが手動で取り外し可能である、請求項４の防火装置。
【請求項６】
前記抑制クリップが、少なくとも前記成形共晶混合物の一部分と一直線になった少なくとも一つの開口部を含み、前記開口部は前記共晶混合物の変形後、前記成形共晶混合物を通すようなサイズと形状である、請求項４および５のいずれか一項の防火装置。
【請求項７】
前記撃針がねじ溝を含み、前記抑制装置が、前記成形共晶混合物によって前記ねじ溝内に保持されたボールベアリングを含む、請求項３−６のいずれか一項の防火装置。
【請求項８】
前記ボールベアリングと成形共晶混合物が、前記撃針に対して横方向の前記点火ユニットの通路内に配置される、請求項７の防火装置。
【請求項９】
前記ボールベアリングに前記横方向の通路から外側へ力を加えるように、前記ねじ溝が角を成している、請求項７および８のいずれか一項の防火装置。
【請求項１０】
前記ねじ溝が、前記成形共晶混合物の変形の際に前記ボールベアリングを前記撃針から離すようなサイズと形状である、請求項７および８のいずれか一項の防火装置。
【請求項１１】
前記成形共晶混合物が、およそ70から300℃の範囲の温度で変形する、請求項３の防火装置。
【請求項１２】
前記点火ユニット筐体が、前記感温材料を前記点火ユニット筐体の外側に隣接して配置するようなサイズと形状の、少なくとも一つの点火ユニットねじ溝を含む、請求項１−１１のいずれか一項の防火装置。
【請求項１３】
前記エアロゾル筐体内で前記出射ポートの上に支持された冷却材、
前記エアロゾル筐体内で前記冷却材の上の燃焼室、
をさらに含む、請求項１−１２のいずれか一項の防火装置。
【請求項１４】
前記エアロゾル出射ポートを覆って配置された、壊すことのできるシーラーをさらに含む、請求項１−１３のいずれか一項の防火装置。
【請求項１５】
前記エアロゾル形成組成物がペレットの形状で形成され、前記ペレットの中央近傍を通る穴を持つ、請求項１−１４のいずれか一項の防火装置。
【請求項１６】
前記点火混合物が前記ペレット内の前記穴の中に位置する、請求項１５の防火装置。
【請求項１７】
前記点火混合物が、前記撃針によって弾かれるのに反応して前記点火混合物を点火する雷管を含む、請求項１−１６のいずれか一項の防火装置。
【請求項１８】
防火エアロゾルを提供する方法であって、
成形共晶混合物を用いて、点火ユニット筐体内に付勢力下で撃針を保持し、前記成形共晶混合物が所望の温度に達すると変形し、前記撃針が雷管に接触するように前記撃針を解放し、点火混合物を点火するようになっているステップ、
前記エアロゾルを生成するために、前記点火混合物を介してエアロゾル生成材料を点火するステップ、
燃焼室の向かい側の冷却材を通して移動させることによって前記エアロゾルを冷却するステップ、
キャニスター内の出射ポートを通して前記冷却されたエアロゾルを排出するステップ、
を含む方法。
【請求項１９】
前記エアロゾル生成材料を点火するステップが、燃焼室内に前記エアロゾルを発生させるステップを含む、請求項１８の方法。
【請求項２０】
前記撃針を前記付勢力下で保持するステップが、前記成形共晶混合物が前記撃針に対して抑制装置を保持し、前記共晶混合物が変形する際に前記抑制装置を前記撃針から離すようにするステップを含む、請求項１８および１９のいずれか一項の方法。
【請求項２１】
前記抑制装置を前記撃針に対して保持するステップが、前記撃針内の戻り止めに対してボールベアリングを保持し、前記共晶混合物が、前記共晶混合物が変形する際に前記ボールベアリングを前記戻り止めからどかすステップを含む、請求項２０の方法。
【請求項２２】
前記撃針を付勢装置で動かすステップをさらに含む、請求項１８−２１のいずれか一項の方法。
【請求項２３】
前記成形共晶混合物に対して係合された抑制クリップを手動で動かし、前記成形共晶混合物が前記撃針を解放するように動くステップをさらに含む、請求項１８−２２のいずれか一項の方法。
【請求項２４】
前記撃針を保持するステップが、少なくとも前記共晶混合物の一部分と一直線になった抑制クリップ内の少なくとも一つの開口部を通して、前記変形した共晶混合物を通すステップを含む、請求項１８−２３のいずれか一項の方法。
【請求項２５】
前記撃針を保持するステップが、前記成形共晶混合物がおよそ70℃からおよそ300℃の範囲の温度で変形するステップを含む、請求項１８−２４のいずれか一項の方法。
【請求項２６】
前記冷却されたエアロゾルを出射ポートを通して排出するステップが、前記出射ポートを覆って配置されたシーラーを壊すステップを含む、請求項１８−２５のいずれか一項の
方法。
【請求項２７】
点火筐体内で撃針を適所に保ち、前記撃針は付勢力下にあるステップ、
前記撃針に対して抑制装置を配置するステップ、
成形共晶混合物を用いて前記抑制装置を適所に保ち、所望の温度が前記成形共晶混合物を変形させ、前記撃針が前記付勢力によって動かされるようになっているステップ、
前記点火ユニットを、エアロゾル形成組成物を持つエアロゾル筐体と結合し、前記エアロゾル筐体はエアロゾル出射ポートを持ち、前記撃針は前記エアロゾル形成組成物を点火するように構成されるステップ、
を含む、防火装置を形成する方法。
【請求項２８】
前記抑制装置を適所に保つステップが、およそ70℃からおよそ300℃の範囲の温度で変形する成形共晶混合物を用いて前記抑制装置を適所に保つステップを含む、請求項２７の方法。
【請求項２９】
前記抑制装置を配置するステップが、前記撃針のねじ溝内にボールベアリングを配置するステップを含む、請求項２７および２８のいずれか一項の方法。
【請求項３０】
前記抑制装置を適所に保つステップが、前記成形共晶混合物を覆って抑制クリップを配置し、前記抑制クリップが前記成形共晶混合物と前記抑制装置を適所に保つステップを含む、請求項２７−２９のいずれか一項の方法。
【請求項３１】
少なくとも前記成形共晶混合物の一部分と一直線になった開口部を前記抑制クリップ内に形成し、前記少なくとも一つの開口部は、前記共晶混合物の変形後、前記成形共晶混合物を通すようなサイズと形状であるステップをさらに含む、請求項３０の方法。
【請求項３２】
前記抑制クリップにプルコードを結合するステップをさらに含む、請求項３０および３１のいずれか一項の方法。
【請求項３３】
前記点火筐体内に少なくとも一つの点火筐体ねじ溝を形成し、前記少なくとも一つのねじ溝は、前記成形共晶混合物を前記点火筐体の外側に隣接して配置するようなサイズと形状であるステップをさらに含む、請求項２７−３２のいずれか一項の方法。
【請求項３４】
前記エアロゾル形成組成物と前記エアロゾル出射ポートとの間で、前記エアロゾル筐体に冷却材を結合するステップをさらに含む、請求項２７−３３のいずれか一項の方法。
【請求項３５】
前記冷却材と前記エアロゾル形成組成物との間に燃焼室を形成するステップをさらに含む、請求項３４の方法。
【請求項３６】
前記出射ポートを覆って、壊すことのできるシーラーを配置するステップをさらに含む、請求項２７−３５のいずれか一項の方法。
【請求項３７】
エアロゾル出射ポートを持つエアロゾル筐体、
前記エアロゾル筐体内に支持されたエアロゾル形成組成物、
前記エアロゾル形成組成物を点火するための手段、
前記エアロゾル筐体に解除可能なように結合するように構成された点火ユニット筐体、
前記筐体内に配置された、付勢された撃針、
所望の温度まで前記撃針を適所に保つための手段、
を含む防火装置。
【請求項３８】
前記エアロゾル形成組成物を点火するための前記手段が、前記撃針によって弾かれるための、前記エアロゾル形成組成物に隣接して配置された雷管を含む、請求項３７の防火装置。
【請求項３９】
前記エアロゾル形成組成物を点火するための前記手段が、前記雷管によって点火されるための、および、さらに前記エアロゾル形成組成物を点火するための、前記雷管に隣接して前記エアロゾル形成組成物内に配置された点火混合物をさらに含む、請求項３８の防火装置。
【請求項４０】
所望の温度まで前記撃針を適所に保つための前記手段が成形共晶混合物を含む、請求項３７−３９のいずれか一項の防火装置。
【請求項４１】
所望の温度まで前記撃針を適所に保つための前記手段が、前記成形共晶混合物によって前記撃針内の戻り止めに対して保持された剛部材をさらに含む、請求項４０の防火装置。
【請求項４２】
所望の温度まで前記撃針を適所に保つための前記手段が、前記共晶混合物を適所に保つための、前記成形共晶混合物に隣接して配置された取り外し可能なピンをさらに含む、請求項４０および４１のいずれか一項の防火装置。
【請求項４３】
前記成形共晶混合物がおよそ270〜300℃の範囲の温度で変形する、請求項４０−４２のいずれか一項の防火装置。
【請求項４４】
エアロゾル出射ポートを持つ筐体、
前記筐体内で前記出射ポートの上に支持された冷却材、
前記筐体内で前記冷却材の上の燃焼室、
前記筐体内で前記燃焼室の上に支持されたエアロゾル形成組成物、
前記エアロゾル形成組成物を点火するために、前記エアロゾル形成組成物に及ぶ点火混合物、
点火ユニット筐体、
前記筐体内に配置された撃針、
前記撃針に結合したばね、
前記筐体内で前記撃針を適所に保つ抑制装置、
前記抑制装置を適所に保つ成形共晶混合物であって、前記共晶混合物が変形する際に、前記点火混合物を点火するように、前記撃針が解放され、前記ばねによって動かされるようになっている、成形共晶混合物、
を含む防火装置。
【請求項４５】
前記抑制装置が撃針の戻り止め内に保持されたボールベアリングを含む、請求項44の防火装置。
【請求項４６】
エアロゾル出射ポートを持つエアロゾル筐体、
前記エアロゾル筐体内に支持されたエアロゾル形成組成物、
前記エアロゾル筐体に接続するように構成された点火ユニット筐体、
前記筐体内に配置された撃針、
所望の温度まで前記撃針を適所に保つ感温材料であって、前記所望の温度を超えるとすぐに、前記エアロゾル形成組成物を点火するために前記撃針が解放される、感温材料、
を含む防火装置。
【請求項４７】
前記感温材料が成形共晶混合物を含む、請求項４６の防火装置。
【請求項４８】
前記エアロゾル出射ポートと前記エアロゾル筐体との間で、前記エアロゾル筐体と結合する冷却材をさらに含む、請求項４６および４７の防火装置。
【請求項４９】
消火装置のための点火ユニットであり、
点火ユニット筐体、
前記筐体内に配置された撃針、
前記撃針と結合した付勢装置、
前記撃針を前記筐体内で適所に保つ抑制装置、
前記抑制装置を適所に保つ成形共晶混合物であって、前記成形共晶混合物が変形する際、前記撃針が解放され、前記付勢装置によって所望の方向に動かされるようになっている、成形共晶混合物、
を含む、点火ユニット。
【請求項５０】
前記撃針がキャニスターの方へ動くように、消火装置キャニスターに結合する第一の末端をさらに含む、請求項４９の点火ユニット。
【請求項５１】
前記共晶混合物を適所に保つように配置された抑制クリップをさらに含む、請求項４９および５０のいずれか一項の点火ユニット。
【請求項５２】
前記抑制クリップが取り外し可能で、前記成形共晶混合物を動かし、かつ前記撃針を動かすようになっている、請求項５１の点火ユニット。
【請求項５３】
前記抑制クリップが手動で取り外し可能である、請求項５１および５２のいずれか一項の点火ユニット。
【請求項５４】
前記抑制クリップが、少なくとも前記成形共晶混合物の一部分と一直線になった少なくとも一つの開口部を含み、前記開口部は、前記共晶混合物の変形後、前記成形共晶混合物を通すようなサイズと形状である、請求項５１−５３のいずれか一項の点火ユニット。
【請求項５５】
前記撃針がねじ溝を含み、前記抑制装置が、前記成形共晶混合物によって前記ねじ溝内に保持されたボールベアリングを含む、請求項４９−５４のいずれか一項の点火ユニット。
【請求項５６】
前記ボールベアリングと成形共晶混合物が、前記撃針に対して横方向の前記点火ユニットの通路内に配置される、請求項５５の点火ユニット。
【請求項５７】
前記ボールベアリングに前記横方向の通路から外側へ力を加えるように、前記ねじ溝が角を成している、請求項５６の点火ユニット。
【請求項５８】
前記ねじ溝が、前記成形共晶混合物の変形の際に前記ボールベアリングを前記撃針から離すようなサイズと形状である、請求項５５の点火ユニット。
【請求項５９】
前記付勢装置が、前記撃針が適所に保たれる間、前記筐体の内側のフランジから圧迫される、請求項４９−５８のいずれか一項の点火ユニット。
【請求項６０】
前記撃針の一端が、前記撃針が解放され、前記付勢装置によって動かされる時に、雷管を点火するような形状である、請求項４９−５９のいずれか一項の点火ユニット。
【請求項６１】
前記点火ユニットが、前記成形共晶混合物を前記点火ユニットの外側に隣接して配置するようなサイズと形状である少なくとも一つの点火ユニットねじ溝を含む、請求項４９−
６０のいずれか一項の点火ユニット。
【請求項６２】
エアロゾルベースの消火器を点火するために撃針を作動させる方法であって、
成形共晶混合物を用いて、点火ユニット筐体内で付勢力に対して撃針を適所に保ち、前記成形共晶混合物が所望の温度に達すると変形し、前記撃針が雷管に接触するように前記撃針を解放し、点火混合物を点火するようになっているステップ、
を含む方法。
【請求項６３】
前記成形共晶混合物を変形するステップが、およそ70℃からおよそ300℃の範囲の温度で前記成形共晶混合物を変形するステップを含む、請求項６２の方法。
【請求項６４】
前記撃針を適所に保つステップが、前記成形共晶混合物が前記撃針の戻り止めに対してボールベアリングを保持し、前記共晶混合物が変形する際に前記戻り止めから前記ボールベアリングをどかすステップを含む、請求項６２および６３のいずれか一項の方法。
【請求項６５】
前記撃針を付勢装置で動かすステップをさらに含む、請求項６２−６４のいずれか一項の方法。
【請求項６６】
前記成形共晶混合物に対して係合された抑制クリップを手動で動かし、前記成形共晶混合物が前記撃針を解放するように動くステップをさらに含む、請求項６２−６５のいずれか一項の方法。
【請求項６７】
エアロゾルベースの消火器用の点火ユニットを形成する方法であって、
戻り止めを持つ撃針を付勢力下に置くステップ、
前記戻り止めに対して抑制装置を配置するステップ、
成形共晶混合物を用いて前記抑制装置を適所に保ち、所望の温度が前記成形共晶混合物を変形させ、前記撃針が前記付勢力によって作用されるようになっているステップ、
を含む方法。
【請求項６８】
前記抑制装置を適所に保つステップが、およそ70℃からおよそ300℃の範囲の温度で変形する成形共晶混合物を用いて前記抑制装置を適所に保つステップを含む、請求項６７の方法。
【請求項６９】
前記抑制装置を配置するステップが、前記撃針のねじ溝内にボールベアリングを配置するステップを含む、請求項６７および６８のいずれか一項の方法。
【請求項７０】
前記抑制装置を適所に保つステップが、前記成形共晶混合物を覆って抑制クリップを配置し、前記抑制クリップは前記成形共晶混合物と前記抑制装置を適所に保つステップを含む、請求項６７−６９のいずれか一項の方法。
【請求項７１】
少なくとも前記成形共晶混合物の一部分と一直線になった開口部を前記抑制クリップ内に形成し、前記開口部は、前記共晶混合物の変形後、前記成形共晶混合物を通すようなサイズと形状であるステップをさらに含む、請求項７０の方法。
【請求項７２】
前記抑制クリップにプルコードを結合するステップをさらに含む、請求項７０および７１のいずれか一項の方法。
【請求項７３】
前記成形共晶混合物を用いて前記抑制装置を適所に保つステップが、前記成形共晶混合物を点火ユニット筐体に結合するステップを含む、請求項６７−７２のいずれか一項の方法。
【請求項７４】
前記点火ユニット筐体内に少なくとも一つの点火ユニットねじ溝を形成し、前記少なくとも一つのねじ溝は、前記成形共晶混合物を前記点火ユニット筐体の外側に隣接して配置するようなサイズと形状であるステップをさらに含む、請求項６７−７３のいずれか一項の方法。
【請求項７５】
消火装置のための点火ユニットであり、
点火ユニット筐体、
前記筐体内に配置された撃針、
前記撃針を動かすための手段、
前記撃針の運動を妨げるための手段、
前記撃針を動かすための前記手段によって前記撃針を動かすために、所定の温度で前記撃針を解放するための手段、
を含む点火ユニット。
【請求項７６】
前記撃針を解放するための前記手段が成形共晶混合物を含む、請求項７５の点火ユニット。
【請求項７７】
前記成形共晶混合物がおよそ70℃からおよそ300℃の範囲の温度で変形する、請求項７５の点火ユニット。
【請求項７８】
前記撃針の運動を妨げるための前記手段が、ボールベアリングと解除可能なクリップを含む、請求項７５−７７のいずれか一項の点火ユニット。
【請求項７９】
エアロゾル供給キャニスターに前記点火ユニットを解除可能なように結合するための手段をさらに含む、請求項７５−７８のいずれか一項の点火ユニット。
【請求項８０】
エアロゾル出射ポートを持つ筐体、
前記筐体内で前記出射ポートの上に支持された冷却材、
前記筐体内で前記冷却材の上の燃焼室、
前記筐体内で前記燃焼室の上に支持されたエアロゾル形成組成物、
前記エアロゾル形成組成物を点火するために、前記エアロゾル形成組成物に及ぶ点火混合物、
を含む防火キャニスター。
【請求項８１】
前記出射ポートを覆って配置された、壊すことのできるシーラーをさらに含む、請求項８０の防火キャニスター。
【請求項８２】
前記エアロゾル形成組成物がペレットの形状で形成され、前記ペレットの中央近傍を通る穴を持つ、請求項８０および８１のいずれか一項の防火キャニスター。
【請求項８３】
前記点火混合物が前記ペレット内の前記穴の中に位置する、請求項８２の防火キャニスター。
【請求項８４】
前記点火混合物が、撃針によって弾かれるのに反応して前記点火混合物を点火する雷管を含む、請求項８０−８３のいずれか一項の防火キャニスター。
【請求項８５】
感温性撃針を含む点火ユニットに接続するためのコネクタをさらに含む、請求項８０−８４のいずれか一項の防火キャニスター。
【請求項８６】
前記感温性撃針に対して係合され、成形共晶混合物と結合した抑制装置をさらに含む、請求項８５の防火キャニスター。
【請求項８７】
前記コネクタがねじ式管を含む、請求項８５および８６のいずれか一項の防火キャニスター。
【請求項８８】
前記筐体の内側に配置された断熱材をさらに含む、請求項８０−８７のいずれか一項の防火キャニスター。
【請求項８９】
前記筐体の内側に配置され、前記ペレットを前記冷却材から離すスペーサーリングをさらに含む、請求項８０−８８のいずれか一項の防火キャニスター。
【請求項９０】
前記冷却材を前記筐体内で適所に保つために、前記冷却材の両側に一対のスクリーンをさらに含む、請求項８０−８９のいずれか一項の防火キャニスター。
【請求項９１】
前記筐体内で、前記冷却材と前記出射ポートとの間に配置されたクロスメンバスペーサーをさらに含む、請求項９０の防火キャニスター。
【請求項９２】
前記冷却材が、活性アルミナ、ゼオライト、マーブルチップおよび溶岩石からなる群から選択される、1/8インチから1/4インチの材料片を含む、請求項８０−９１のいずれか一項の防火キャニスター。
【請求項９３】
エアロゾル出射ポートを持つ筐体、
向かい合ったスクリーンによって前記筐体内で前記出射ポートの上に支持された冷却材、
前記筐体内で前記冷却材の上に燃焼室を提供するスペーサー、
前記燃焼室の上で前記スペーサーによって前記筐体内に支持されたペレット形のエアロゾル形成組成物、
前記エアロゾル形成組成物を点火するために、前記エアロゾル形成組成物を通る穴に及ぶ点火混合物、
を含む防火キャニスター。
【請求項９４】
前記出射ポートの上に配置された、壊すことのできるシーラーをさらに含む、請求項９３の防火キャニスター。
【請求項９５】
前記点火混合物が、撃針によって弾かれるのに反応して前記点火混合物を点火する雷管を含む、請求項９３および９４のいずれか一項の防火キャニスター。
【請求項９６】
感温性撃針を含む点火ユニットに接続するためのコネクタをさらに含む、請求項９３ー９５のいずれか一項の防火キャニスター。
【請求項９７】
前記感温性撃針に対して係合され、成形共晶混合物と結合した抑制装置をさらに含む、請求項９６の防火キャニスター。
【請求項９８】
前記コネクタがねじ式管を含む、請求項９６および９７のいずれか一項の防火キャニスター。
【請求項９９】
前記筐体の内側に配置された断熱材をさらに含む、請求項９３−９８のいずれか一項の防火キャニスター。
【請求項１００】
前記筐体内で前記冷却材と前記出射ポートとの間に配置されたクロスメンバスペーサーをさらに含む、請求項９３−９９のいずれか一項の防火キャニスター。
【請求項１０１】
前記冷却材が、活性アルミナ、ゼオライト、マーブルチップおよび溶岩石、もしくは同様の特性を持つ他の材料からなる群から選択される、1/8インチから1/4インチの材料片を含む、請求項９３−１００のいずれか一項の防火キャニスター。
【請求項１０２】
キャニスター内に防火エアロゾルを作り出す方法であって、
感温性撃針で雷管を弾くステップ、
エアロゾル生成材料内に配置された点火混合物を点火し、前記エアロゾル生成材料を点火して前記エアロゾルを作り出すステップ、
前記エアロゾル生成材料のための燃焼室を提供するステップ、
前記燃焼室の向かい側の冷却材を通して移動させることによって前記エアロゾルを冷却するステップ、
前記キャニスター内の出射ポートを通して前記冷却されたエアロゾルを排出するステップ、
を含む方法。
【請求項１０３】
冷却されたエアロゾルを用いて、前記出射ポートを覆って結合されたシーラーを破裂させるステップをさらに含む、請求項１０２の方法。
【請求項１０４】
前記感温性撃針で前記雷管を弾くステップが、共晶混合物を変形するステップを含み、前記変形した共晶混合物は、前記感温性撃針との係合から抑制装置をはずす、請求項１０２および１０３のいずれか一項の方法。
【発明の詳細な説明】
【技術分野】
【０００１】
［関連文書］本出願は、U.S. Serial No. 11/279,221、表題「IGNITION UNIT FOR AEROSOL FIRE-RETARDING DELIVERY DEVICE」の継続出願であり、その優先権を主張する。さらに、本出願は、U.S. Serial No. 11/279,225、表題「AEROSOL FIRE-RETARDING DELIVERY DEVICE」の継続出願であり、その優先権を主張する。さらに、本出願は、U.S. Serial No. 11/279,228、表題「AEROSOL FIRE-RETARDING DELIVERY DEVICE」の継続出願であり、その優先権を主張する。
【背景技術】
【０００２】
消火エアロゾル装置は、一般的に、吐き出し口、消火エアロゾルを発生させるための装薬（charge）、点火ユニットを持つ。点火ユニットが作動すると、火工品（pyrotechnic）もしくは固体燃料の装薬が点火され、そこからガス状の燃焼生成物が消火エアロゾルを形成する。消火エアロゾルは吐き出し口を通って火の範囲に入り、消火する。いくつかの従前の装置では、点火ユニットは火工品の上もしくは中に配置された点火装置を含み、点火装置は、火によって引き起こされるように、電気的に作動されたり高温に加熱されたりすると点火する。このように点火を引き起こす上での一つの問題は、点火装置が筐体の内側になければならないので、容器そのものが点火の前に高温に達する必要があるということである。
【０００３】
別の欠点は、電気的に作動されたユニットを適切な探知装置と放出パネルに接続する必要があるということである（コスト、メンテナンス、信頼性の問題）。いくつかの従前の装置では、信管（コルダイトで構成されたものなど）が容器の外側に及ぶ。そのような信管は、所望の温度に応じて点火する間、損傷しやすく誤動作の可能性がある（信管は一つの高活性化温度に限定される‐活性化の前に著しい損傷が起こる）。輸送の間に好ましくなく活性化する可能性があり、消火装置を輸送することも危険である。
【０００４】
一つの既存の装置では、ばね仕掛けのピンを適所に保つためにバルブが使用される。事前に指定された温度で、バルブは壊れ、ピンを解放して火工品を点火する。
【発明の開示】
【０００５】
防火キャニスターは、エアロゾル出射ポートを備える筐体を持つ。冷却材が筐体内で出射ポートの上に支持される。筐体内の燃焼室は冷却材の上にある。エアロゾル形成組成物は、筐体内で燃焼室の上に支持される。エアロゾル形成組成物を点火するために、点火混合物がエアロゾル形成組成物に及ぶ。
【０００６】
一実施形態では、消火装置は熱発火ユニットとエアロゾル発生ユニットを含む。一実施形態では、点火ユニットは、所定の温度で変形する成形共晶混合物（formed eutectic）によってばね張力を受けて保持されるばね仕掛けのピストンを含む。そのような温度に達すると、ピストンは解放され、エアロゾル生成ユニット内で所望の火工品を点火するために雷管を弾く。更なる実施形態では、共晶混合物は抑制クリップによって適所に保たれ、この抑制クリップが除去されると、ばね仕掛けのピストンも解放されて火工品を点火する。一実施形態では、ピストンは雷管を弾き、点火混合物を点火し、これがさらに火工品を点火する。点火混合物は火工品と同じ材料で形成されてもよい。一実施形態では、雷管は単純な拳銃用雷管であってもよく、もしくは点火混合物を点火するその他の手段であってもよい。
【０００７】
点火ユニットは、火工品を包含するキャニスターと、解放可能なように係合されてもよ
い。一実施形態では、これはキャニスター上のねじ山と結合するためのねじ山と共に形成される。点火ユニットとキャニスターは組み立てられていない状態で輸送されてもよく、その後、消火装置を形成するための使用に望ましい場所で容易に組み立てられてもよい。多くの異なるサイズのキャニスターが同じ点火ユニットを使用してもよい。抑制クリップを含むことで、消火装置を機械的に作動させるか、もしくは熱に直接反応して作動させるかのいずれも可能になる。
【０００８】
一実施形態では、エアロゾル発生ユニットは、エアロゾル出射ポートを備える筐体を持つキャニスターを含む。冷却材が筐体内で出射ポートの上に支持される。燃焼室が筐体内で冷却材の上に提供される。エアロゾル形成組成物は筐体内で燃焼室の上に支持される。エアロゾル形成組成物を点火するために、点火混合物がエアロゾル形成組成物に及ぶ。
【発明を実施するための最良の形態】
【０００９】
以下の記述では、本明細書の一部を成す添付の図面を参照し、その図面においては実施され得る特定の実施形態が例として示される。これらの実施形態は当業者が本発明を実施することができるように十分詳細に記載され、当然のことながら、その他の実施形態が利用されてもよく、本発明の範囲から逸脱することなく、構造的、論理的、および電気的な変更がなされてもよい。従って以下の記述は、限定的な意味でとられるものではなく、本発明の範囲は添付の請求項によって規定される。
【００１０】
図１は、おおまかに100と示された消火装置の断面図を示す。消火装置は、点火ユニット115と結合するためのキャニスター110を含む。キャニスター110は容器120を含み、容器120は、セラミックペーパー、もしくはボール紙などの断熱材料といった、所望の材料122で裏打ちされていてもよい。セラミックペーパーは、他の材料と比較して、COなどの有毒ガスおよび好ましくない臭気の発生が少ない可能性がある。容器120は出射ポート127を備える底部部品（bottom piece）125を含む。容器120の内部の内容物をほぼ密封するシールをもたらすために、ポリシーラントなどのシーラント128が底部部品125を覆って使用されてもよい。一実施形態では、軟鋼で形成されたクロスメンバスペーサー（cross member spacer）130が容器120内で底部部品125の間に配置される。第一のスクリーン133がクロスメンバスペーサー130に隣接して配置され、活性アルミナ、ゼオライト、マーブルチップ、溶岩石などの断片といった、冷却材135を支持する。一実施形態では、断片はおよそ1/8インチから1/4インチである。多くの他のサイズおよび種類の冷却材も使用してもよい。
【００１１】
第二のスクリーン137は、冷却材135の上端に接して配置され、第一と第二のスクリーンが冷却材135を適所に保つようになっている。スクリーンは、キャニスターで使用される温度とその他の材料に適合する、ステンレス鋼もしくはその他の材料で形成されてもよい。一実施形態では、軟鋼で形成されたスペーサーリング140が第二のスクリーン137の上端に接して配置され、燃焼室142を提供する。さらなる実施形態ではスペーサーリングはその他の材料で形成されてもよい。
【００１２】
また、スペーサーリング140は、点火の際に圧縮されたエアロゾル形成組成物を含む、ペレット143も支持する。ペレット143は、キャニスター120の上端に固定されたブッシング150内に支持された点火混合物147を含む穴もしくは開口部145と共に形成される。一実施形態では、環状のシーラントもしくは密封リング152を用いて、キャップ（雷管）がキャニスターで密封される。点火雷管（primer cap）155は、弾かれた時に点火混合物を点火するために、点火混合物147の上にブッシング150によって支持される。さらなる実施形態では、ペレット143は点火混合物無しに形成されてもよく、雷管によって直接点火されてもよい。
【００１３】
ブッシング150は、キャップからのびる点火ユニット受容部分160を持ち、点火ユニット
115のねじ式はめ込み外側部161を受容するためのねじ式内側部を含む。受容部分160とはめ込み部分161は、摩擦もしくはスナップ式などのその他の方法で互いに結合してもよい。そのような結合は、様々な実施形態において、恒久的であってもよいし、もしくは解除可能であってもよい。
【００１４】
点火ユニット115は、一実施形態では一般的に円筒形であるが、その中にスライド式に取り付けられた撃針165を持つ。撃針はばね167に結合し、ばねは点火装置内の出っ張り（ledge）170に対して圧迫される。撃針は、撃針に対して概して横方向にのびる点火ユニットの部分176内に保持されたボールベアリング175などの抑制装置を受容するための、戻り止め、ねじ溝、もしくは環状のくぼみ172と共に形成される。一実施形態では、ボールベアリング175の挿入の前に撃針165を適切に調節しなくてもよくして、製造を容易にするために、戻り止め172が環状であってもよい。さらなる実施形態では、撃針の一部分のみが戻り止めを持つ。
【００１５】
ねじ溝172は角度のついたエッジを持ってもよく、ボールベアリング175もしくはその他の剛構造を、もはや撃針に対して保持されない時、撃針から横方向に離すことができる。点火ユニットの横にのびる部分に固定された抑制クリップ177は、成形共晶混合物180を抑制装置175に対して保持する。共晶混合物180は、所望の温度で変形するように選択され、抑制装置175を解放し、ばね167が撃針を点火雷管155の中に打ち込むことを可能にする。雷管155はその後点火し、点火混合物147を点火し、次にペレット143を点火する。ペレット143からのエアロゾルはスクリーンと冷却材135、クロスメンバスペーサー130を貫通し、シーラント128を壊して開け、出射ポート127を介して外に出る。一実施形態では、ペレットの点火温度はおよそ270から300℃、あるいは、ペレットの調合の方法および化学成分に応じたその他の所望の温度である。
【００１６】
一実施形態では、ブッシング150は点火ユニットの一部であり、キャニスターに結合する。ブッシング150は雷管と点火混合物を含み、キャニスターとは別に輸送され、使用できる時に組み立てられてもよい。
【００１７】
一実施形態では、ペレット143は、硝酸カリウム（67-72）、ジシアンジアミド（9-16）、フェノールホルムアルデヒド樹脂（8-12）、および安息香酸カリウム、重炭酸塩、もしくはヘキサシアノ鉄酸塩（4-12）を、丸括弧内に示されるように様々な質量百分率で含む組成物で形成される。様々なその他の組成物が使用されてもよく、そのいくつかはUS Patent No. 6,042,664と6,264,772に記載される。
【００１８】
キャニスターのサイズは、異なる量のエアロゾル生成材料を提供するために、著しく異なってもよい。一実施形態では、キャニスターと点火ユニットが結合するはめ込みねじ式部分は、様々なサイズのキャニスターにおいて同じサイズである。従って、キャビネットの内部用に設計されたキャニスターは極めて小さくてもよく、例えばソーダの缶よりも小さくてもよい。室内での防火など、より大きな用途用に設計されたキャニスターは、非常に大きくてもよい。全てのキャニスターは、はめ込みねじ式部分、もしくはその他の物理的結合機構の使用を通して互いに結合するように設計されるならば、同じサイズの点火ユニットを使用してもよい。
【００１９】
点火ユニット115の上面図が図２に200で示される。点火ユニット115内の材料の量を減らし、それによって温度変化に対する点火ユニットの反応性を増すために、いくつかのねじ溝が、205で示されるように点火ユニットの上部に切り込まれてもよい。図２はまた、保持クリップ177用のスロット210もよく図解している。
【００２０】
スロットは、図３に側面図と上面図で詳細に示される保持クリップを、図４のクリップ
177が挿入された点火ユニットの側面図で図解される所望の位置に保持するように位置付けられる。図３は、中に穴310が形成された中央平坦部分と共に形成された保持クリップを示す。図４に見られるように、穴310は成形共晶混合物180とぴったり合い、共晶混合物を変形温度未満では貫流させることなく、共晶混合物が加熱されると貫流させるための通路を提供する。ピンを手動で引くためのコードもしくはひもを取り付けることができるように、必要であればクリップの一部分に追加の穴を形成してもよい。図５Ａと５Ｂは、510で設置の前の共晶混合物を、および515で設置用に成形した共晶混合物を、それぞれ図解する。共晶混合物の成形は、ボールベアリングを用いて圧力をかけてなされてもよい。一実施形態では、適切な共晶混合物のペレット510は、Cerro Metal Products Co., Bellefonte Works, P.O. Box 388, Bellefonte, PA 16823から入手してもよいし、もしくは必要であれば他の供給源から入手してもよい。有効な融点の例は、158、174、198、および203 oFを含むが限定はされない。さらなる実施形態では、共晶混合物は、およそ70℃以下の範囲、もしくは270〜300℃など、より高い範囲の温度で、ならびにその間のほぼどの温度でも変形する。
【００２１】
共晶混合物180が図１に示されるように形成もしくは成形され、ボールベアリング175が開口部とほぼ同じ形状と直径であることにより、変形するために利用可能な通路がないので、共晶混合物がその融点未満の温度でさらに変形することが妨げられる。クリップ内の穴310は大きな流れを防ぐのに十分小さいので、共晶混合物180が融点に達するまでピンを適所に固定する。その時、共晶混合物はクリップ内の穴を貫流するので、ボールベアリングは撃針内の戻り止めから離れることができ、撃針を解放してペレット143を点火することができる。
【００２２】
要約は、読者が技術的開示の本質と要旨を迅速に解明することができるように、C.F.R.
§1.72(b)に従って提供される。要約は、請求項の範囲もしくは意味を解釈もしくは限定するために使用されるものではないということを了解の上で提示される。
【図面の簡単な説明】
【００２３】
【図１】実施形態例に従う、エアロゾル供給キャニスター上に取り付けられた点火ユニットの断面図である。
【図２】実施形態例に従う、図１の点火ユニットでの使用のための撃針の上面図である。
【図３】実施形態例に従う、成形共晶混合物を保持するための保持クリップの上面図と側面図である。
【図４】実施形態例に従う、成形共晶混合物を保持するための図３の保持クリップを含む、図２の撃針の側面図である。
【図５Ａ】実施形態例に従う、図２の撃針での使用のために形成された後の、未加工の形の共晶混合物のペレットを図解する。
【図５Ｂ】実施形態例に従う、図２の撃針での使用のために形成された後の、未加工の形の共晶混合物のペレットを図解する。
【図１】
2009533146.tif 000003
【図２】
2009533146.tif 000004
【図３】
2009533146.tif 000005
【図４】
2009533146.tif 000006
【図５Ａ】
2009533146.tif 000007
【図５Ｂ】
2009533146.tif 000008
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
消火装置のための点火ユニットであり、
点火ユニット筐体、
前記筐体内に配置された撃針、
前記撃針と結合した付勢装置、
前記撃針を前記筐体内で適所に保つ抑制装置、
前記抑制装置を適所に保つ成形共晶混合物であって、前記成形共晶混合物が変形する際、前記撃針が解放され、前記付勢装置によって所望の方向に動かされるようになっている、成形共晶混合物、および、
前記共晶混合物を適所に保つように配置された抑制クリップ、
を含む、点火ユニット。
【請求項２】
前記撃針がキャニスターの方へ動くように、消火装置キャニスターに結合する第一の末端をさらに含む、請求項１の点火ユニット。
【請求項３】
前記抑制クリップが取り外し可能で、前記成形共晶混合物を動かし、かつ前記撃針を動かすようになっている、請求項１および２のいずれか一項の点火ユニット。
【請求項４】
前記抑制クリップが手動で取り外し可能である、請求項１−３のいずれか一項の点火ユニット。
【請求項５】
前記抑制クリップが、少なくとも前記成形共晶混合物の一部分と一直線になった少なくとも一つの開口部を含み、前記開口部は、前記共晶混合物の変形後、前記成形共晶混合物を通すようなサイズと形状である、請求項１−４のいずれか一項の点火ユニット。
【請求項６】
前記撃針がねじ溝を含み、前記抑制装置が、前記成形共晶混合物によって前記ねじ溝内に保持されたボールベアリングを含む、請求項１−６のいずれか一項の点火ユニット。
【請求項７】
前記ボールベアリングと成形共晶混合物が、前記撃針に対して横方向の前記点火ユニットの通路内に配置される、請求項６の点火ユニット。
【請求項８】
前記ボールベアリングに前記横方向の通路から外側へ力を加えるように、前記ねじ溝が角を成している、請求項７の点火ユニット。
【請求項９】
前記ねじ溝が、前記成形共晶混合物の変形の際に前記ボールベアリングを前記撃針から離すようなサイズと形状である、請求項６−８のいずれか一項の点火ユニット。
【請求項１０】
前記付勢装置が、前記撃針が適所に保たれる間、前記筐体の内側のフランジから圧迫される、請求項１−９のいずれか一項の点火ユニット。
【請求項１１】
前記撃針の一端が、前記撃針が解放され、前記付勢装置によって動かされる時に、雷管を点火するような形状である、請求項１−１０のいずれか一項の点火ユニット。
【請求項１２】
前記点火ユニットが、前記成形共晶混合物を前記点火ユニットの外側に隣接して配置するようなサイズと形状である少なくとも一つの点火ユニットねじ溝を含む、請求項１−１１のいずれか一項の点火ユニット。
【請求項１３】
エアロゾルベースの消火器用の点火ユニットを形成する方法であって、
戻り止めを持つ撃針を付勢力下に置くステップ、
前記戻り止めに対して抑制装置を配置するステップ、
成形共晶混合物を用いて前記抑制装置を適所に保ち、所望の温度が前記成形共晶混合物を変形させ、前記撃針が前記付勢力によって作用されるようになっているステップ、
を含む方法。
【請求項１４】
前記抑制装置を適所に保つステップが、およそ70℃からおよそ300℃の範囲の温度で変形する成形共晶混合物を用いて前記抑制装置を適所に保つステップを含む、請求項１３の方法。
【請求項１５】
前記抑制装置を配置するステップが、前記撃針のねじ溝内にボールベアリングを配置するステップを含む、請求項１３および１４のいずれか一項の方法。
【請求項１６】
前記抑制装置を適所に保つステップが、前記成形共晶混合物を覆って抑制クリップを配置し、前記抑制クリップは前記成形共晶混合物と前記抑制装置を適所に保つステップを含む、請求項１３−１５のいずれか一項の方法。
【請求項１７】
少なくとも前記成形共晶混合物の一部分と一直線になった開口部を前記抑制クリップ内に形成し、前記開口部は、前記共晶混合物の変形後、前記成形共晶混合物を通すようなサイズと形状であるステップをさらに含む、請求項１６の方法。
【請求項１８】
前記抑制クリップにプルコードを結合するステップをさらに含む、請求項１６および１７のいずれか一項の方法。
【請求項１９】
前記成形共晶混合物を用いて前記抑制装置を適所に保つステップが、前記成形共晶混合物を点火ユニット筐体に結合するステップを含む、請求項１３−１８のいずれか一項の方法。
【請求項２０】
前記点火ユニット筐体内に少なくとも一つの点火ユニットねじ溝を形成し、前記少なく
とも一つのねじ溝は、前記成形共晶混合物を前記点火ユニット筐体の外側に隣接して配置するようなサイズと形状であるステップをさらに含む、請求項１３−１９のいずれか一項の方法。
【請求項２１】
防火エアロゾルを提供する方法であって、
成形共晶混合物を用いて、点火ユニット筐体内に付勢力下で撃針を保持し、前記成形共晶混合物が所望の温度に達すると変形し、前記撃針が雷管に接触するように前記撃針を解放し、点火混合物を点火するようになっているステップ、
前記エアロゾルを生成するために、前記点火混合物を介してエアロゾル生成材料を点火するステップ、
前記エアロゾル生成材料のための燃焼室を提供するステップ、
前記燃焼室の向かい側の冷却材を通して移動させることによって前記エアロゾルを冷却するステップ、
キャニスター内の出射ポートを通して前記冷却されたエアロゾルを排出するステップ、
を含む方法。
【請求項２２】
前記エアロゾル生成材料を点火するステップが、前記燃焼室内に前記エアロゾルを発生させるステップを含む、請求項２１の方法。
【請求項２３】
前記撃針を前記付勢力下で保持するステップが、前記成形共晶混合物が前記撃針に対して抑制装置を保持し、前記共晶混合物が変形する際に前記抑制装置を前記撃針から離すようにするステップを含む、請求項２１および２２のいずれか一項の方法。
【請求項２４】
前記抑制装置を前記撃針に対して保持するステップが、前記撃針内の戻り止めに対してボールベアリングを保持し、前記共晶混合物が、前記共晶混合物が変形する際に前記ボールベアリングを前記戻り止めからどかすステップを含む、請求項２３の方法。
【請求項２５】
前記撃針を付勢装置で動かすステップをさらに含む、請求項２１−２４のいずれか一項の方法。
【請求項２６】
前記成形共晶混合物に対して係合された抑制クリップを手動で動かし、前記成形共晶混合物が前記撃針を解放するように動くステップをさらに含む、請求項２１−２５のいずれか一項の方法。
【請求項２７】
前記撃針を保持するステップが、少なくとも前記共晶混合物の一部分と一直線になった抑制クリップ内の少なくとも一つの開口部を通して、前記変形した共晶混合物を通すステップを含む、請求項２１−２６のいずれか一項の方法。
【請求項２８】
前記撃針を保持するステップが、前記成形共晶混合物がおよそ70℃からおよそ300℃の範囲の温度で変形するステップを含む、請求項２１−２７のいずれか一項の方法。
【請求項２９】
前記冷却されたエアロゾルを出射ポートを通して排出するステップが、前記出射ポートを覆って配置されたシールを壊すステップを含む、請求項２１−２８のいずれか一項の方法。
【手続補正書】
【提出日】平成21年3月11日(2009.3.11)
【手続補正１】
【補正対象書類名】明細書
【補正対象項目名】００１２
【補正方法】変更
【補正の内容】
【００１２】
また、スペーサーリング140は、点火の際に圧縮されたエアロゾル形成組成物を含む、ペレット143も支持する。ペレット143は、キャニスター120の上端に固定されたブッシング150内に支持された点火混合物147を含む穴もしくは開口部145と共に形成される。一実施形態では、環状のシーラントもしくは密封リング152を用いて、雷管がキャニスターで密封される。点火雷管（primer cap）155は、弾かれた時に点火混合物を点火するために、点火混合物147の上にブッシング150によって支持される。さらなる実施形態では、ペレット143は点火混合物無しに形成されてもよく、雷管によって直接点火されてもよい。
【手続補正２】
【補正対象書類名】明細書
【補正対象項目名】００１３
【補正方法】変更
【補正の内容】
【００１３】
ブッシング150は、雷管からのびる点火ユニット受容部分160を持ち、点火ユニット115のねじ式はめ込み外側部161を受容するためのねじ式内側部を含む。受容部分160とはめ込み部分161は、摩擦もしくはスナップ式などのその他の方法で互いに結合してもよい。そのような結合は、様々な実施形態において、恒久的であってもよいし、もしくは解除可能であってもよい。
【手続補正３】
【補正対象書類名】明細書
【補正対象項目名】００２０
【補正方法】変更
【補正の内容】
【００２０】
スロットは、図３に側面図と上面図で詳細に示される保持クリップを、図４のクリップ177が挿入された点火ユニットの側面図で図解される所望の位置に保持するように位置付けられる。図３は、中に穴310が形成された中央平坦部分と共に形成された保持クリップを示す。図４に見られるように、穴310は成形共晶混合物180とぴったり合い、共晶混合物
を変形温度未満では貫流させることなく、共晶混合物が加熱されると貫流させるための通路を提供する。撃針を手動で作動するためのコードもしくはひもを取り付けることができるように、必要であればクリップの一部分に追加の穴を形成してもよい。図５Ａと５Ｂは、510で設置の前の共晶混合物を、および515で設置用に成形した共晶混合物を、それぞれ図解する。共晶混合物の成形は、ボールベアリングを用いて圧力をかけてなされてもよい。一実施形態では、適切な共晶混合物のペレット510は、Cerro Metal Products Co., Bellefonte Works, P.O. Box 388, Bellefonte, PA 16823から入手してもよいし、もしくは必要であれば他の供給源から入手してもよい。有効な融点の例は、158、174、198、および203 oFを含むが限定はされない。さらなる実施形態では、共晶混合物は、およそ70℃以下の範囲、もしくは270〜300℃など、より高い範囲の温度で、ならびにその間のほぼどの温度でも変形する。
【手続補正４】
【補正対象書類名】明細書
【補正対象項目名】００２１
【補正方法】変更
【補正の内容】
【００２１】
共晶混合物180が図１に示されるように形成もしくは成形され、ボールベアリング175が開口部とほぼ同じ形状と直径であることにより、変形するために利用可能な通路がないので、共晶混合物がその融点未満の温度でさらに変形することが妨げられる。クリップ内の穴310は大きな流れを防ぐのに十分小さいので、共晶混合物180が融点に達するまで撃針を適所に固定する。その時、共晶混合物はクリップ内の穴を貫流するので、ボールベアリングは撃針内の戻り止めから離れることができ、撃針を解放してペレット143を点火することができる。
【手続補正５】
【補正対象書類名】図面
【補正対象項目名】図１
【補正方法】変更
【補正の内容】
【図１】
2009533146.tif 000009
【手続補正６】
【補正対象書類名】図面
【補正対象項目名】図４
【補正方法】変更
【補正の内容】
【図４】
2009533146.tif 000010
【国際調査報告】
2009533146.tif 000011
2009533146.tif 000012
2009533146.tif 000013